(57)【要約】      （修正有）【課題】一般住宅、アパート・マンション等の集合住宅、オフイスビル等の建物用の窓、扉又は仕切板を嵌め込んで、これら窓、扉又は仕切板をスライド可能に、又は不可能に固定する枠材が火災等の緊急時に人命を危険にさらすことなく、且つ、消化作業や救出作業の障害にならない用に僅かな力で取り外すことができる枠材を提供する。【解決手段】建物用の窓、扉又は仕切板を嵌め込んで、これら窓、扉又は仕切板をスライド可能に、又は不可能に固定する枠材であって、ガラス転移点温度を有する形状記憶樹脂、又は形状記憶合金から成ることを特徴とする枠材である。火災等が発生し、室内の温度がガラス転移点温度以上に達した際には、レール機能を有する枠材１２は図に示すように元の形状に変形される。そして、引き違い扉１５が施錠されていても、平らになった枠材１２の上面に扉５、６と網戸１６の下部先端面が静止されている。【選択図】図９
2006241819.tif 000002
【特許請求の範囲】
【請求項１】
建物用の窓、扉又は仕切板を嵌め込んで、これら窓、扉又は仕切板をスライド可能に、又は不可能に固定する枠材であって、
ガラス転移点温度を有する形状記憶樹脂、又は形状記憶合金から成ることを特徴とする枠材。
【請求項２】
前記ガラス転移点温度が７０℃以上である請求項１記載の枠材。
【発明の詳細な説明】
【技術分野】
【０００１】
本発明は、建物用の窓、扉又は仕切板を嵌め込んで、これら窓、扉又は仕切板をスライド可能に、又はスライド不可能に固定する枠材に関する。特に火災等の非常事態に安全に対処できる窓、扉又は仕切板を嵌め込んで、これら窓、扉又は仕切板をスライド可能に、又はスライド不可能に固定する枠材に関する。
【背景技術】
【０００２】
従来から、一般住宅、アパート・マンション等の集合住宅、オフイスビル等の建物用の窓、扉又は仕切板を嵌め込んで、これら窓、扉又は仕切板をスライド可能に、又はスライド不可能に固定する枠材は木材あるいは鋼材、アルミニウム材等が多く使用されている。さらに、近年、強化プラスチック材あるいは工業用プラスチック材等をはじめ多くのプラスチック材が使用されてきている。
【０００３】
そして、火災等の非常時での避難対策や、延焼防止対策等の強化が叫ばれている中で、人命を危険にさらすことなく、火災が拡がるのを防ぐための窓、扉、仕切板等の研究開発が行われている。
【０００４】
（１）先行技術１
アパート・マンション等の集合住宅等におけるバルコニは、通常、隣戸との境界位置に仕切板（隔板）が設けられている。この仕切板（隔板）が緊急時に隣戸への避難が容易に且つ確実にでき、しかも簡単な構造で、経済性に優れている隔板構造（例えば、特許文献１参照。）が知られている。
【０００５】
この、隔板構造は図１８に示すように通路１０７の両側にレール枠材１０１が立設され、レール枠材１０１に沿って上下に摺動する仕切板１０４が嵌め込まれた隔て枠１０５が形成されている。
【０００６】
また、隔て枠１０５には、前記、レール枠材１０１に接する部位に係合片１０６が設けられている。そして、レール枠材１０１の上部方向と下部方向の両側に形成されいている係止片１０２の上方で係合して隔て枠１０５の降下が係止されている。
【０００７】
また、火災等の緊急時には隔て枠１０５を上方に引き上げて係合片１０６をレール枠材１０１の下部方向の両側に形成されいている係止片１０３に係合させ、隔て枠１０５の下方に避難のための開口が形成される。
【０００８】
（２）先行技術２
また、建物に設置されるアルミサッシュ等の引違い窓を緊急時に、速やかにクレセントの解錠および窓開けを行うことができる窓開け開封システム（例えば、特許文献２参照。）も知られている。
【０００９】
この、窓開け開封システム２００は図１９および図２０に示すように家屋の壁（図示せず）に固定される窓枠１１２と、該窓枠１１２に摺動自在に設けられた外窓部１１３および内窓部１１４とによって構成されている。そして、外窓部１１３および内窓部１１４は、略同一形状のかまち１１５、１１６により板ガラスを固定支持している。
【００１０】
また、閉状態のときに、窓枠１１２の略中央でかまちが重なり合う部分に両窓部１１３、１１４を締結して施錠し、解錠する図２０に示すようなクレセント１１０が設けられて
いる。そして、図２０に示すように締結して施錠されているクレセント１２０は、火災等の緊急時に図１９に示す火災検知手段１２６と給電装置１２１およびカバー部材１２４で覆われている内部（図には示していない）のバッテリー、解旋手段等、各手段の制御部により解錠され、外部からの救出や脱出が円滑に行えると記載されている。
【００１１】
（３）先行技術３
また、火災等により、加圧防煙区画に設置された扉の開放障害を防止するための開放障害防止装置（例えば、特許文献３参照。）も知られている。
【００１２】
この、装置３００は図２１に示すように扉の下部に開閉機構を有するダンパー１２８が設けられている。そしてダンパー１２８の複数の各ブレード１２９には、図には示していないが接続棒が取り付けられている。さらに、この接続棒にはパニックバーが取り付けられ、この接続棒とパニックバーにより開閉機構が構成されている。
【００１３】
（４）先行技術４
また、人命を危険にさらすことなく、火災が拡がることを防止する扉（例えば、特許文献４参照。）も知られている。
【００１４】
この扉４００は図２２に示すように火災等の非常時に通路１３１を閉塞して建物の延焼を防ぎぐと共に、火災現場に人が取り残された場合には、扉本体１３２の下側方向に脱出口１１４が具備されている。そして、脱出口１４１には脱出用扉１４２が設けられている。
【００１５】
また、脱出用扉１４２の下端中央にロック装置１４４が設けられている。また、扉本体１３２の下端部に誘導標灯１３７が設けられている。さらに、扉本体１３２の、一方の側端の略中央に誘導標灯１３７の電源回路１４０と、点滅回路１３８と、マイクロスイッチ１３９が配置されている誘導標識灯点滅ユニット１４３が設けられている。
【００１６】
そして、火災等の非常時に脱出する際には、ロック装置１４４に設けられている操作ノブ１４５の回転運動で脱出口１４１が開放され、脱出することができると記載されている。
【００１７】
以下に先行技術文献を示す。
【特許文献１】実開平６−１６５０３号公報
【特許文献２】特開２０００−８７１０号公報
【特許文献３】特開平８−９３３４６号公報
【特許文献４】特開平８−２４６７５７号公報
【発明の開示】
【発明が解決しようとする課題】
【００１８】
（１）先行技術１について
先行技術１では、隔板構造がレール枠材と、仕切板と、仕切板が嵌め込まれている隔て枠と、隔て枠を係止する二つの係合片とから構成されている。この様に、隔板（仕切板）が幾つもの部材から構成されているために作製する時間と費用がかかるという問題がある。さらに、施工する際に、レール枠材等を建物に固定するなど、作業に熟練を要し、時間がかかる問題がある。
【００１９】
また、緊急時に隣戸へ避難する際には、隔て枠を持ち上げて、さらに、今までと異なる係合片部で係止しなければならないなど、緊急時の作業として手間がかかり過ぎるという問題がある。
【００２０】
さらに、隔て枠を持ち上げたり、係止したりする作業は子供や、お年寄り、あるいは体の悪い人等では難しいという問題がある。
【００２１】
また、避難した後も隔て枠が係止されているために、火災等の消化作業や、あるいは救出作業の障害になるという問題がある。
【００２２】
さらに、避難する際に、屈んだり、腹這いになったりしなければならないために、体の悪い人や、お年寄りの人が容易に避難することができないという問題がある。
【００２３】
（２）先行技術２について
先行技術２では、火災等の緊急時にクレセントが解錠されされても、カバー部材が脱出する際に邪魔になるという問題がある。さらに、システムが複雑となり施工作業に時間と費用がかかるという問題がある。
【００２４】
さらに、クレセントの解錠等を制御するためのバッテリ等が内部に設けられている部分が、カバー部材で覆われているために室内の美感が損なわれるという問題がある。
【００２５】
また、火災等の緊急時に給電装置やカバー部材内のバッテリーや解錠手段等が熱風等で正常な動作が行われず解錠しないという問題がある。
【００２６】
さらに、避難した後も、カバー部材と外窓部および内窓部の窓枠が設けられているために火災等の消化作業、あるいは救出作業の障害になる問題がある。
【００２７】
（３）先行技術３について
先行技術３では、扉が閉鎖されている加圧防煙区画での過剰差圧による開放障害を防止するための差圧の低減をさせる簡素化された素晴らしい装置である。しかし、ダンパーの開閉がパニックバーの上下の操作によって行われるために、火災等の緊迫している緊急時にパニックバーの操作を適切に行うことは困難である。さらに、開放するためにパニックバーを下方に押し下げる操作が子供やお年寄りでは容易に出来ないという問題である。
【００２８】
さらに、火災等の消化作業の際に、扉を容易に取り外すことができず、初期消火に支障がでるという問題がある。
【００２９】
本発明は上記した従来の問題点を鑑みてなされるものであり、次のような窓、扉又は仕切板を嵌め込んで、これら窓、扉又は仕切板をスライド可能に、又はスライド不可能に固定する枠材を提供することを目的とする。すなわち、本発明の第１の目的は、従来の製造方法と施工作業で容易に作製、施工できる窓、扉又は仕切板を嵌め込んで、これら窓、扉又は仕切板をスライド可能に、又はスライド不可能に固定する枠材を提供することである。
【００３０】
また、本発明の第２の目的は、火災等の緊急時に、力の弱い子供や、お年寄り、あるいは体の弱い人でも僅かの力で容易に取り外すことができ、消化作業や救出作業の障害にならない窓、扉又は仕切板を嵌め込んで、これら窓、扉又は仕切板をスライド可能に、又はスライド不可能に固定する枠材を提供することである。
【００３１】
また、本発明の第３の目的は、避難する際に、屈んだり、腹這いになったりすることなく正常の姿勢で脱出することができる窓、扉又は仕切板を嵌め込んで、これら窓、扉又は仕切板をスライド可能に、又はスライド不可能に固定する枠材を提供することである。
【００３２】
また、本発明の第４の目的は、建物の外観や室内の美感が損なわれることのない窓、扉又は仕切板を嵌め込んで、これら窓、扉又は仕切板をスライド可能に、又はスライド不可能に固定する枠材を提供することである。
【００３３】
また、本発明の第５の目的は、複雑な構造や機構を用いることなく、且つ、制御部材や電気または配線等を用いることのない窓、扉又は仕切板を嵌め込んで、これら窓、扉又は仕切板をスライド可能に、又はスライド不可能に固定する枠材を提供することである。
【００３４】
また、本発明の第６の目的は、火災等の消化作業や救出作業の障害にならない窓、扉又は仕切板を嵌め込んで、これら窓、扉又は仕切板をスライド可能に、又はスライド不可能に固定する枠材を提供することである。
【課題を解決するための手段】
【００３５】
上記の課題を解決するために、まず本発明の請求項１に係る発明は、
建物用の窓、扉又は仕切板を嵌め込んで、これら窓、扉又は仕切板をスライド可能に、又は不可能に固定する枠材であって、
ガラス転移点温度を有する形状記憶樹脂、又は形状記憶合金から成ることを特徴とする枠材である。
【００３６】
次に、本発明の請求項２に係る発明は、
前記ガラス転移点温度が７０℃以上である請求項１記載の枠材である。
【発明の効果】
【００３７】
本発明の窓、扉又は仕切板を嵌め込んで、これら窓、扉又は仕切板をスライド可能に、又はスライド不可能に固定する枠材は煩雑な作業工程を経ずに作製できる。また取り付け等の施工が容易である。
【００３８】
また、子供や、お年寄り、あるいは体の弱い人でも、火災等の緊急時に避難する際に、強い力を要せずに、窓や扉あるいは仕切板等の障害物となる箇所から容易に脱出することができる。
【００３９】
また、火災等の緊急時に窓、扉又は仕切板が枠材から容易に取り除くことができるために消化作業や救出作業がスムーズに行うことができる。
【００４０】
さらに、火災等の緊急時に避難する際、窓や扉あるいは仕切板等に脱出口等を設けたり、あるいは脱出する際に、屈んだり、腹這いになったりすることなく、正常の姿勢で容易に避難することができる。
【００４１】
また、火災等の緊急時に、窓や扉あるいは仕切板に避難用解錠装置等が施されていないために建物の外観や室内の美感が維持できる。
【発明を実施するための最良の形態】
【００４２】
本発明の窓、扉又は仕切板を嵌め込んで、これら窓、扉又は仕切板をスライド可能に、又はスライド不可能に固定する枠材を実施の形態に沿って以下に図面を参照にしながら詳細に説明する。図１〜図１７は本発明の一実施例を示す。
【００４３】
本発明の窓、扉又は仕切板を嵌め込んで、これら窓、扉又は仕切板をスライド可能に、又はスライド不可能に固定する枠材は一般住宅、アパート・マンション等の集合住宅、オフイスビル等の建物用に用いられる。そして、スライド可能な枠材はレール機能を有する。
【００４４】
また、施工が容易で、且つ、従来の窓、扉、仕切板等と同様の美しい外観と機能を維持し、さらに、火災等の緊急時の避難が容易である。特に火災時の消化作業や救出作業が円滑に、素早くできる窓、扉又は仕切板をスライド可能に、又はスライド不可能に固定されている枠材である。
【００４５】
図１は本発明の窓、扉又は仕切板を嵌め込んで、これら窓、扉又は仕切板をスライド可能に、又はスライド不可能に固定する枠材の引き違い扉の一実施例を説明するための概略を示す斜視図である。また、図２は、図１のレール機能を有する枠材の下部を説明するための概略を示す斜視図である。さらに、図３は、図１および図２のレール機能を有する枠材周縁がガラス転移点温度以上に達した際の状態を説明するための斜視図である。
【００４６】
一般住宅、アパート・マンション等の集合住宅、あるいはオフイスビル等の建物用の引き違い扉は図１に示すようにガラス板７が扉５、６に填め込まれている。また、扉５、６は外扉３と内扉４の上部と下部の先端縁が逆Ｌ字型に形成されている。そして、その上部に設けられている鴨居２（レール材）と下部に設けられている敷居１（レール機能を有する枠材）の凹部に嵌め込まれている。
【００４７】
前記、扉５、６の材料は通常、木材、アルミニウム材、鋼材をはじめ、強化プラスチック材あるいは工業用プラスチック材等が用いられている。そして、扉５、６の外側表面は各々の材料によって、ニス塗工、アルマイト加工、焼き付き塗工加工、転写加工等により装飾加工が施されている。
【００４８】
また、鴨居２あるいは敷居などのレール機能を有する部材は一般的に扉５、６と略同じ材料が用いられている。例えば、通常、扉５、６が木材の場合には、部材も同様に木材、扉５、６がアルミニウム材の場合には、アルミニウム材が用いられている。
【００４９】
また、図１に示すような引き違い扉５、６の場合、閉状態の時には、扉５、６の略中央でかまちが重なり合う部分に図には示していないが両扉５、６を締結して旋錠し、解錠する部分が設けられている。そして、内側（室内）に旋錠・解錠するための鍵が設けられている。このために、火災等の非常時に外から扉を開けることができず人命が危険にさらされている。
【００５０】
本発明のレール機能を有する枠材１は、図１あるいは図２に示すように外観や施工など、従来の引き違い扉と変わることなく形成されている。また、火災等の非常時に鍵が旋錠されていても、人命が危険にさらされることがない。そして、外からでも、内からでも枠材１の変形によって僅かの力で容易に引き違い扉を取り外すことが出来る。
【００５１】
前記、レール機能を有する枠材１は変形を加えた後、加熱や刺激等により、変形前の形状に戻る性質をもつ樹脂である形状記憶樹脂が用いられている。
【００５２】
前記、形状記憶樹脂の変形前の形状に戻す刺激として、例えば、酸、アルカリ、光（特に紫外線）等が例示できる。また、枠材１に使用する材料は形状記憶樹脂に限ったものではない。例えば、樹脂以外に形状記憶合金等を用いることもできる。
【００５３】
前記、形状記憶樹脂として、例えば、ポリエチレンテレフタレート、ポリウレタン、ブ
タジエン、ポリノルボルネン、トランスポリイソプレン等がある他、２官能のジイソシアネート、２官能のポリオール、および活性水素基を含む２官能の鎖延長剤を原料とする、形状記憶性ポリウレタンがある。２官能のジイソシアネート４，４’―ジフェニルメタンイソシアネート（ＭＤＩ）、２官能のポリオールとしてビスフェノールーＡのプロピレンオキサイト、活性水素基を含む２官能の鎖延長剤としてビス（２−ハイドロキシエチル）ハイドロキノンを配合して重合することにより、製造される形状記憶性ポリウレタンを用いることが好ましい。このポリウレタンは７０℃のガラス転移点温度を有する。
【００５４】
また、形状記憶合金として、例えば、ニッケルーチタン合金、銅―アルミニウムーニッケル合金、銅―亜鉛合金、ニッケル合金、マンガン合金等、非鉄系の他、鉄系形状記憶合金として、鉄―白金合金、鉄―ニッケルーカーボン合金、鉄―ニッケルーコバルトーチタン合金、鉄―マンガンーシリコン合金、鉄―クロムーニッケルーマンガンーシリコン合金等がある。
【００５５】
また、形状記憶樹脂の成形は、形状記憶樹脂の成形温度未満の温度で変形を与え、そのままガラス転移点温度以下まで冷却して変形を固定し、また、ガラス転移点温度以上で成形温度未満の温度に加熱して、再び元の形状に復帰させるもので、温度操作により変形形状と元の成形形状を使い分けできる。
【００５６】
そして、本発明のレール機能を有する枠材１の元の形状（図３に示す）は適宜の形状記憶樹脂を用いて、図１６あるいは図１７に示すような異形押し出し成形装置４０、４４を用いて変形することができる。
【００５７】
前記、押し出し成形装置４０は図１６に示すように、押し出し機３５の一方の先端部にダイ３６が設けられ断熱材３７を介してフォーミングダイ３８が設けられている。さらに、冷却水槽３９と、この冷却水槽３９の先端側（図１６の右端側）に引き取り機４１が設けられている。
【００５８】
また、図１７に示す異形押し出し成形装置４４は、図１６に示した押し出し成形装置４０における冷却水槽３９を、樹脂を冷却水に浸責するのに代えて、ミストシャワーを採用した冷却部４２が設けられている。その他の構成並びに作用は、前記図１６に示した押し出し成形装置４０と同様である。
【００５９】
前記、異形押し出し成形装置４０、４４で元の形状に変形した後、図１あるいは図２に示すような形状のレール機能を有する枠材１が型押し機等で適宜の形状に変形される。
【００６０】
また、レール機能を有する枠材１の使用に際して、木材のイメージを施すために、転写印刷、あるいはスクリーン印刷、タンポ印刷等で装飾加工を施すことができる。そして、レール機能を有する枠材１を用いて引き違い扉を作製する際には、通常の施工方法で行うことが出来る。
【００６１】
また、施工されたレール機能を有する枠材１は形状記憶樹脂のガラス転移点温度が７０℃以上に設定されている。このために、日光や暖房により弾性率低下により、柔らかくなったり、変形することはない。また、レール機能を有する枠材１に形状記憶ポリウレタンが用いられている事により扉５、６の引き違いが静かで、滑らに動かすことができる。
【００６２】
さらに、火災等が発生し、室内の温度がガラス転移点温度以上に達した際には、レール機能を有する枠材１は図３に示すように元の形状に変形される。そして、図には示していないが、外扉３と内扉４は、上部に形成されている逆Ｌ字型部の先端が鴨居２（レール部材）の凹部の先端に僅かにかかって、下部の平らになった枠材１上に静止される。このた
めに、引き違い扉１５が旋錠されていても、外からでも、内からでも僅かな力で容易に扉５、６を取り除くことができる。
【００６３】
このために、火災時の消化作業の際に、建物の中に放水するための放水場所を取り外す作業を要せず、放水の水圧により容易に引き違い扉１５を取り外すことも出来る。
【００６４】
次ぎに、図４は本発明の窓、扉又は仕切板を嵌め込んで、これら窓、扉又は仕切板をスライド可能に、又はスライド不可能に固定する枠材の引き違い扉の他の一実施例を説明するための概略を示す斜視図である。また、図５は、図４のレール機能を有する枠材を説明するための概略を示す斜視図である。さらに、図６は、図４および図５のレール機能を有する枠材周縁がガラス転移点温度以上に達した際の状態を説明するための斜視図である。
【００６５】
図４に示すようにガラス板７が扉５、６に填め込まれている。また、扉５、６は外扉３と内扉４からなり、上部の先端縁がＬ字型に形成され、その上部に設けられている鴨居８の凹部に嵌め込まれている。
【００６６】
また、扉５、６の下部の先端縁は逆Ｕ字型に形成されている。そして、敷居９に設けられている蒲鉾状のレール機能を有する枠材１０に逆Ｕ字型の凹部が嵌め込まれている。
【００６７】
前記、扉５、６の材料は、通常、木材、アルミニウム材、鋼材をはじめ、強化プラスチック材あるいは工業用プラスチック材等が用いられている。そして、扉５、６の外側表面は各々の材料によって、ニス塗工、アルマイト加工、焼き付き塗工加工、転写加工等により装飾加工が施されている。
【００６８】
また、鴨居８あるいはレール機能を有する枠材１０が施されている敷居９は一般的に扉５、６と略同じ材料が用いられている。また、通常、扉５、６が木材の場合には、鴨居８と敷居９も同様に木材が用いられている。
【００６９】
また、扉５、６がアルミニウム材の場合、鴨居８と敷居９に相当する部分は、通常、アルミニウム材あるいはスチール材で異形押出成形加工にる固定枠が設けられている。
【００７０】
前記、敷居９に木材が用いられた際には、通常は敷居９の上面に鋼製あるいはポリエチレン、ポリプロピレンまたはナイロン等のプラスチック製の蒲鉾状レール部材と扉５、６の下部に形成されている逆Ｕ字型の凹部が嵌め込まれている。
【００７１】
本発明のレール機能を有する枠材１０は図４あるいは図５に示すように外観や施工など、従来の引き違い扉１５と変わることなく形成されている。また、火災等の非常時に鍵が旋錠されていても、人命が危険にさらされることがない。そして、外からでも、内からでもレール機能を有する枠材１０の変形によって僅かの力で容易に引き違い扉１５を取り外すことが出来る。
【００７２】
このために、前記レール機能を有する枠材１０は変形を加えた後、加熱や刺激等により、変形前の元の形状に戻る性質をもつ、図１に示すレール機能を有する枠材１に使用される樹脂と同様の形状記憶樹脂が用いられる。
【００７３】
また、レール機能を有する枠材１０に使用する材料は形状記憶樹脂に限らず、例えば、非鉄系のニッケルーチタン合金、銅―アルミニウムーニッケル合金、銅―亜鉛合金、ニッケル合金、マンガン合金等の形状記憶合金、あるいは鉄系の、鉄―白金合金、鉄―ニッケルーカーボン合金、鉄―ニッケルーコバルトーチタン合金、鉄―マンガンーシリコン合金、鉄―クロムーニッケルーマンガンーシリコン合金等の形状記憶合金を用いることもでき
る。
【００７４】
また、形状記憶樹脂を用いたレール機能を有する枠材１０の成形は、図１のレール機能を有する枠材１と同様に、形状記憶樹脂の成形温度未満の温度で変形を与え、そのままガラス転移点温度以下まで冷却して変形を固定し、また、ガラス転移点温度以上で成形温度未満の温度に加熱して、再び元の形状に復帰させるもので、温度操作により変形形状と元の成形形状を使い分けできる。
【００７５】
また、図４および図５に示すレール機能を有する枠材１０は形状記憶樹脂材のガラス転移点温度が７０℃以上に設定されている。このために、日光や暖房により弾性率低下により、柔らかくなったり、変形することはない。また、レール機能を有する枠材１０に形状記憶ポリウレタンが用いられている事により扉５、６の開け締めが静かで、滑らに動かすことができる。
【００７６】
さらに、火災等が発生し、室内の温度がガラス転移点温度以上に達した際には、レール機能を有する枠材１０は図６に示すように元の形状に変形される。そして、引き違い扉１５が旋錠されていても、平らになった枠材１０の上面に扉５、６の下部先端面が静止されている。
【００７７】
また、図には示していないが扉５、６の上部先端のＬ字型に形成されている部分が、鴨居８の凹部に僅かに係って静止しているために、外からでも、内からでも僅かな力で容易に扉５、６を取り除くことができる。
【００７８】
このために、火災時の消化作業の際に、建物の中に放水するための放水場所を取り外す作業を要せず、放水の水圧により容易に引き違い扉１５を取り外すことが出来る。
【００７９】
前記、レール機能を有する枠材１０の元の形状は図３に示すレール機能を有する枠材１と同様に異形押し出し成形装置等を用いて変形することができる。そして、型押し機等で機能を有する枠材１０が適宜の形状に変形される。
【００８０】
次ぎに、図７は本発明の窓、扉又は仕切板を嵌め込んで、これら窓、扉又は仕切板をスライド可能に、又はスライド不可能に固定する枠材の引き違い扉の他の一実施例を説明するための概略を示す斜視図である。また、図８は、図７のレール機能を有する枠材の下部を説明するための概略を示す斜視図である。さらに、図９は、図７および図８のレール機能を有する枠材周縁がガラス転移点温度以上に達した際の状態を説明するための斜視図である。
【００８１】
図７に示すように引き違い扉１５は網戸１３と外扉３と内扉４から形成されている。内扉４と外扉３はガラス板７が扉５、６に填め込まれている。また、網戸１３と外扉３と内扉４の上部の先端縁はＵ字型に形成され、上柱１３に施されている、先端が平坦で突起しているレール部材１１にＵ字型の凹部が嵌め込まれている。
【００８２】
また、下部の先端縁は逆Ｕ字型に形成され、下柱１４に施されている、先端が蒲鉾状に突起しているレール機能を有する枠材１２に逆Ｕ字型の凹部が嵌め込まれている。
【００８３】
前記、扉５、６の材料は通常、木材、アルミニウム材、鋼材をはじめ、強化プラスチック材あるいは工業用プラスチック材等が用いられている。また、網戸１６の網枠１７は一般的にアルミニウム材が用いられプラスチック製等の網が埋め込まれている。そして、扉５、６の外側表面は各々の材料によって、ニス塗工、アルマイト加工、焼き付き塗工加工、転写加工等により装飾加工が施されている。
【００８４】
また、上柱１２と下柱１４は一般に木材が用いられている。また、上柱に施されているレール部材１１は、通常異形押出加工によるアルミニウム材かスチール材が使用されている。
【００８５】
また、下柱に施されている本発明のレール機能を有する枠材１２は図７あるいは図８に示すように外観や施工など、従来の引き違い扉と変わることなく形成されている。そして、火災等の非常時に鍵が旋錠されていても、人命が危険にさらされることがない。そして、外からでも、内からでも枠材１２の変形によって、僅かの力で容易に引き違い扉１５を取り外すことが出来る。
【００８６】
前記レール機能を有する枠材１２は変形を加えた後、加熱や刺激等により、変形前の元の形状に戻る性質をもつ、図１のレール機能を有する枠材１あるいは図４のレール機能を有する枠材１０に使用される樹脂と同様の形状記憶樹脂が用いられる。
【００８７】
また、レール機能を有する枠材１２に使用する材料は形状記憶樹脂に限らず、例えば、非鉄系のニッケルーチタン合金、銅―アルミニウムーニッケル合金、銅―亜鉛合金、ニッケル合金、マンガン合金等の形状記憶合金、あるいは鉄系の、鉄―白金合金、鉄―ニッケルーカーボン合金、鉄―ニッケルーコバルトーチタン合金、鉄―マンガンーシリコン合金、鉄―クロムーニッケルーマンガンーシリコン合金等の形状記憶合金を用いることもできる。
【００８８】
また、形状記憶樹脂を用いたレール機能を有する枠材１２の成形は、図１に示すレール機能を有する枠材１、あるいは図４に示すレール機能を有する枠材１０と同様に、形状記憶樹脂の成形温度未満の温度で変形を与え、そのままガラス転移点温度以下まで冷却して変形を固定する。そして、また、ガラス転移点温度以上で成形温度未満の温度に加熱して、再び元の形状に復帰させるもので、温度操作により変形形状と元の成形形状を使い分けできる。
【００８９】
また、図７および図８に示すレール機能を有する枠材１２は形状記憶樹脂のガラス転移点温度が７０℃以上に設定されている。このために、日光や暖房により弾性率低下により、柔らかくなったり、変形することはない。また、レール機能を有する枠材１２に形状記憶ポリウレタンが用いられている事により扉５、６あるいは網戸枠１７の開け締めが静かで、滑らに動かすことができる。
【００９０】
さらに、火災等が発生し、室内の温度がガラス転移点温度以上に達した際には、レール機能を有する枠材１２は図９に示すように元の形状に変形される。そして、引き違い扉１５が旋錠されていても、平らになった枠材１２の上面に扉５、６と網戸１６の下部先端面が静止されている。
【００９１】
また、図には示していないが扉５、６と網戸１３の上部の先端はＵ字型の凹部が突起しているレール部材１１に僅かに係って静止しているために、外からでも、内からでも僅かな力で容易に扉５、６と網戸１６を取り除くことができる。
【００９２】
このために、火災時の消化作業の際に、建物の中に放水するための放水場所を取り外す作業を要せず、放水の水圧により容易に引き違い扉１５を取り外すことが出来る。
【００９３】
前記、レール機能を有する枠材１２の元の形状は図３示すレール機能を有する枠材１２１あるいは図６に示すレール機能を有する枠材１２１０と同様に公知の異形押し出し成形装置等を用いて変形することができる。そして、型押し機等でレール機能を有する枠材１
２が適宜の形状に変形される。
【００９４】
次ぎに、図１０は本発明の窓、扉又は仕切板を嵌め込んで、これら窓、扉又は仕切板をスライド可能に、又はスライド不可能に固定する枠材の引き違い窓の一実施例を説明するための概略を示す概略図である。また、図１１は、図１０のＡ−Ａ′線断面の概略を示す概略断面図である。さらに、図１２は、図１０の窓枠周縁がガラス転移点温度以上に達した際の状態を説明するための概略断面図である。
【００９５】
本発明の引き違い窓２８は図１０および図１１に示すようにガラス板７が填め込まれている内窓２３と外窓２４、およびこれらを支持する固定部材１９から形成されている。
【００９６】
また、内窓２３と外窓２４の上部と下部にレール機能を有する枠材２５、２６が形成されている。そして、上部の左右と下部の左右を繋ぐ横枠２７が形成されている。さらに、枠材の上部端縁と下部端縁に半円形状の溝が形成されている。
【００９７】
そして、固定部材１９の内側周縁に二つの凹部が形成され、その底に蒲鉾状に突起しているレールに、前記半円形状の溝が嵌め込まれている。
【００９８】
また、固定部材１９は通常、アルミニウム材あるいは鋼材または強化プラスチック材、工業用プラスチック材等が用いられている。また、表面は各々の材料によって、カラー塗工、アルマイト加工、焼き付き塗工加工、転写加工等により装飾加工が施されている。そして、施工の際には、固定部材１９の外側周縁が、上柱２０と下柱２１と左右の横板２２で形成されている枠に填め込まれ、固定されている。
【００９９】
また、内窓２３と外窓２４に形成されている上部と下部のレール機能を有する枠材２５、２６は変形を加えた後、加熱や刺激等により、変形前の元の形状に戻る性質をもつ、図１のレール機能を有する枠材１、あるいは図４のレール機能を有する枠材１０、又は図７のレール機能を有する枠材１２に使用される樹脂と同様の形状記憶樹脂が用いられる。
【０１００】
また、形状記憶樹脂を用いた枠材２５、２６の成形は、図１に示すレール機能を有する枠材１、あるいは図４に示すレール機能を有する枠材１０、又は図７に示すレール機能を有する枠材１２と同様に、形状記憶樹脂の成形温度未満の温度で変形を与え、そのままガラス転移点温度以下まで冷却して変形を固定する。そして、また、ガラス転移点温度以上で成形温度未満の温度に加熱して、再び元の形状に復帰させるもので、温度操作により変形形状と元の成形形状を使い分けできる。
【０１０１】
また、図１１および図１２に示す枠材２５、２６は形状記憶樹脂材のガラス転移点温度が７０℃以上に設定されている。このために、日光や暖房により弾性率低下により、柔らかくなったり、変形することはない。また、枠材２５、２６に形状記憶ポリウレタンが用いられている事により内窓１７と外窓１６開け締めが静かで、且つ、滑らに動かすことができる。
【０１０２】
さらに、火災等が発生し、室内の温度がガラス転移点温度以上に達した際には、上部と下部に形成されているレール機能を有する枠材２５、２６が元の形状に変形される。そして、引き違い窓２８が旋錠されていても、上部と下部に形成されている枠材２５、２６の上部端面と下部端面が平らになり、且つ、小さくなり、厚み（幅）も薄くなる。
【０１０３】
そして、枠材２５、２６の下部先端面が蒲鉾状に突起しているレール上に静止される。また、上部は固定部材１９の凹部の内側先端に僅かに係って静止している。このために、外からでも、内からでも僅かな力で容易に引き違い窓２８を取り除くことができる。
【０１０４】
また、火災時の消化作業の際に、建物の中に放水するための放水場所を取り外す作業を要せず、放水の水圧により容易に引き違い窓２８を取り外すことが出来る。
【０１０５】
前記、レール機能を有する枠材２５、２６の元の形状は図３示すレール機能を有する枠材１あるいは図６に示すレール機能を有する枠材１０又は図９に示すレール機能を有する枠材１２と同様に異形押し出し成形装置等を用いて変形することができる。そして、型押し機等でレール機能を有する枠材２５、２６が適宜の形状に変形される。さらに、左右の横枠を用いて内窓２３と外窓２４が組み立てられる。
【０１０６】
次ぎに、図１３は本発明の窓、扉又は仕切板を嵌め込んで、これら窓、扉又は仕切板をスライド可能に、又はスライド不可能に固定する枠材の仕切板の一実施例を説明するための概略を示す概略図である。また、図１４は、図１３のＢ−Ｂ′線断面の概略を示す概略断面図である。また、図１５は、図１３の仕切板周縁がガラス転移点温度以上に達した際の状態を説明するための概略断面図である。
【０１０７】
本発明の仕切板３０は図１３および図１４に示すように枠材３１の内側に隔て板２９が填め込まれている。そして、通路の両側に立設されている固定レール部材３２の凹部に枠材３１の両端縁が嵌め込まれ、係止部３３で係止されている。
【０１０８】
前記、固定レール部材３２は通路４３の両側の壁に凹部が対面する状態で固定されている。
【０１０９】
また、固定レール部材３２は通常、Ｃ形チャンネル鋼、あるいは、溶接加工等により凹部を形成した鋼材か、または、異形押出加工されているプラスチック成形部材が用いられている。
【０１１０】
また、隔て板２９は、通常、石膏ボード、あるいは難燃加工合板、スチール板等が用いられている。そして、両側表面に適宜の装飾加工が施されている。
【０１１１】
また、隔て板２９の両端縁に設けられている枠材３１は変形を加えた後、加熱や刺激等により、変形前の元の形状に戻る性質をもつ、図１に示すレール機能を有する枠材１、図４に示すレール機能を有する枠材１０、又は図７に示すレール機能を有する枠材１２、あるいは図１０に示す枠材２５、２６に使用される樹脂と同様の形状記憶樹脂が用いられる。
【０１１２】
そして、形状記憶樹脂を用いた枠材３１の成形は、図１に示すレール機能を有する枠材１、図４に示すレール機能を有する枠材１０、又は図７に示すレール機能を有する枠材１２、あるいは図１０に示す枠材２５、２６と同様に、形状記憶樹脂の成形温度未満の温度で変形を与え、そのままガラス転移点温度以下まで冷却して変形を固定する。そして、また、ガラス転移点温度以上で成形温度未満の温度に加熱して、再び元の形状に復帰させるもので、温度操作により変形形状と元の成形形状を使い分けできる。
【０１１３】
また、図１３および図１４に示す枠材３１は形状記憶樹脂材のガラス転移点温度が７０℃以上に設定されている。このために、日光や暖房により弾性率低下により、柔らかくなったり、変形することはない。また、枠材３１に形状記憶ポリウレタンが用いられている事により耐水性、耐腐食性、耐薬品性等があるために通路など風雨にさらされていても変色変質することがない。
【０１１４】
さらに、火災等が発生し、室内の温度がガラス転移点温度以上に達した際には、枠材３
１が図１５に示すように固定レール部材３２の凹部の内側先端に僅かに係って静止しているために、外からでも、内からでも僅かな力で容易に扉を取り除くことができる。
【０１１５】
このために、火災時の消化作業の際に、建物の中に放水するための放水場所を取り外す作業を要せず、放水の水圧により容易に引き違い扉を取り外すことが出来る。
【０１１６】
前記、枠材３１の元の形状は図３示すレール機能を有する枠材１あるいは図６に示すレール機能を有する枠材１０、又は図９に示すレール機能を有する枠材１２、あるいは図１２に示す枠材２５、２６と同様に異形押し出し成形装置等を用いて変形することができる。そして、型押し機等で枠材３１が適宜の形状に変形される。
【産業上の利用可能性】
【０１１７】
本発明の窓、扉又は仕切板を嵌め込んで、これら窓、扉又は仕切板をスライド可能に、又はスライド不可能に固定する枠材は一般住宅、アパート・マンション等の集合住宅、オフイスビル等の建物用の緊急避難用部材として使用できる。また、自動車用部材あるいは医療部材や、部品等の運搬用収納容器等、包装分野や医療分野または自動車分野にも利用できるなど、広い分野に利用できる。
【図面の簡単な説明】
【０１１８】
【図１】本発明の窓、扉又は仕切板を嵌め込んで、これら窓、扉又は仕切板をスライド可能に、又はスライド不可能に固定する枠材の引き違い扉の一実施例を説明するための概略を示す斜視図である。
【図２】図１のレール機能を有する枠材の下部を説明するための概略を示す斜視図である。
【図３】図１および図２のレール機能を有する枠材周縁がガラス転移点温度以上に達した際の状態を説明するための斜視図である。
【図４】本発明の窓、扉又は仕切板を嵌め込んで、これら窓、扉又は仕切板をスライド可能に、又はスライド不可能に固定する枠材の引き違い扉の他の一実施例を説明するための概略を示す斜視図である。
【図５】図４のレール機能を有する枠材を説明するための概略を示す斜視図である。
【図６】図４および図５のレール機能を有する枠材周縁がガラス転移点温度以上に達した際の状態を説明するための斜視図である。
【図７】本発明の窓、扉又は仕切板を嵌め込んで、これら窓、扉又は仕切板をスライド可能に、又はスライド不可能に固定する枠材の引き違い扉の他の一実施例を説明するための概略を示す斜視図である。
【図８】図７のレール機能を有する枠材の下部を説明するための概略を示す斜視図である。
【図９】図７および図８のレール機能を有する枠材周縁がガラス転移点温度以上に達した際の状態を説明するための斜視図である。
【図１０】本発明の窓、扉又は仕切板を嵌め込んで、これら窓、扉又は仕切板をスライド可能に、又はスライド不可能に固定する枠材の引き違い窓の一実施例を説明するための概略を示す概略図である。
【図１１】図１０のＡ−Ａ′線断面の概略を示す概略断面図である。
【図１２】図１０の窓枠周縁がガラス転移点温度以上に達した際の状態を説明するための概略断面図である。
【図１３】本発明の窓、扉又は仕切板を嵌め込んで、これら窓、扉又は仕切板をスライド可能に、又はスライド不可能に固定する枠材の仕切板の一実施例を説明するための概略を示す概略図である。
【図１４】図１３のＢ−Ｂ′線断面の概略を示す概略断面図である。
【図１５】図１３の仕切板周縁がガラス転移点温度以上に達した際の状態を説明するための概略断面図である。
【図１６】本発明のレール部材の、元の形状を変形する異形押し出し成形装置の概略を示す概略図である。
【図１７】本発明のレール部材の、元の形状を変形する他の、異形押し出し成形装置の概略を示す概略図である。
【図１８】従来使用されている緊急避難用の仕切板枠の概略を示す概略図である。
【図１９】従来使用されている緊急避難用の窓開け開封システムの概略を示す概略図である。
【図２０】図１９に使用されている窓部、締結用クレセントの概略を示す概略図である。
【図２１】従来使用されている火災時の開放傷害を防止するための開放傷害防止装置の概略を示す概略図である。
【図２２】従来使用されている火災拡散防止用扉の概略を示す概略図である。
【符号の説明】
【０１１９】
１……レール機能を有する枠材
２……レール機能を有する枠材
３……外扉
４……内扉
５……扉
６……扉
７……ガラス板
８……鴨居
９……敷居
１０……レール機能を有する枠材
１１……レール機能を有する枠材
１２……レール機能を有する枠材
１３……上柱
１４……下柱
１５……引き違い扉
１６……網戸
１７……網枠
１８……網
１９……固定部材
２０……上柱
２１……下柱
２２……横板
２３……内窓
２４……外窓
２５……枠材
２６……枠材
２７……横枠
２８……引き違い窓
２９……隔て板
３０……仕切板
３１……枠材
３２……固定レール部材
３３……係止部
３４……製品
３５……押し出し機
３６……ダイ
３７……断熱材
３８……フオーミングダイ
３９……冷却水層
４０……押し出し成形装置
４１……引き取り機
４２……冷却部
４３……通路
４４……押し出し成形装置
【図１】
2006241819.tif 000003
【図２】
2006241819.tif 000004
【図３】
2006241819.tif 000005
【図４】
2006241819.tif 000006
【図５】
2006241819.tif 000007
【図６】
2006241819.tif 000008
【図７】
2006241819.tif 000009
【図８】
2006241819.tif 000010
【図９】
2006241819.tif 000011
【図１０】
2006241819.tif 000012
【図１１】
2006241819.tif 000013
【図１２】
2006241819.tif 000014
【図１３】
2006241819.tif 000015
【図１４】
2006241819.tif 000016
【図１５】
2006241819.tif 000017
【図１６】
2006241819.tif 000018
【図１７】
2006241819.tif 000019
【図１８】
2006241819.tif 000020
【図１９】
2006241819.tif 000021
【図２０】
2006241819.tif 000022
【図２１】
2006241819.tif 000023
【図２２】
2006241819.tif 000024